(57)【要約】      （修正有）【課題】吊りボルトに取り付けられて被支持体を支持する防振吊り金具の水平方向の変形を防止する構造を提供する。【解決手段】吊りハンガー１７のハウジング２１には、吊りボルト３が吊形防振ゴム２３を介してナット４７によって取り付けられると共に、中途部にナット４７を固定するための工具をハウジング２１の側方から挿入するための開放部が形成され、吊りハンガー１７に上下方向に回動可能に取り付けられた補強金具は、開放部を開放する開放位置から下方に回動してハウジング２１の上部及び中途部の側方から囲んでハウジング２１を補強すると共に開放部を閉鎖する閉鎖位置に移動可能となっている。【選択図】図１１
2015218534.tif 000002
【特許請求の範囲】
【請求項１】
支持体から延びる吊りボルトに取り付けられ、被支持体を支持する防振吊り金具であって、
上記吊りボルトに取り付けられ、被支持体を支持する吊りハンガーと、該吊りハンガーに取り付けられ、該吊りハンガーを補強する補強部材と、を備え、
上記吊りハンガーは、上部に上記吊りボルトを挿通するための貫通孔が形成されている一方、下部に上記被支持体を支持する支持部を有するハウジングを有し、該ハウジングには、上記吊りボルトが防振部材を介してナットによって取り付けられると共に、中途部に該ナットを固定するための工具を該ハウジングの側方から挿入するための開放部が形成され、
上記補強部材は、上記開放部を開放する開放位置と、上記ハウジングの上部及び中途部を側方から囲んで該ハウジングを補強すると共に上記開放部を閉鎖する閉鎖位置と、の間で移動可能なように構成されていることを特徴とする防振吊り金具。
【請求項２】
請求項１に記載の防振吊り金具において、
上記支持部が上記被支持体を支持し且つ上記補強部材が上記閉鎖位置にある状態で、該補強部材及びハウジングが上記被支持体に固定されていることを特徴とする防振吊り金具。
【請求項３】
請求項１又は２に記載の防振吊り金具において、
上記補強部材は、上記閉鎖位置において、上記ハウジングに固定されていることを特徴とする防振吊り金具。
【請求項４】
請求項１乃至３のいずれか１項に記載の防振吊り金具において、
上記ハウジングは、上記貫通孔が形成された水平板と、該水平板から下方に延びて下端部に上記支持部が形成された左右一対の側板と、を有し、上記防振部材は、該両側板間の上部に配設され、上記開放部は、該各側板に形成された前方に開口する切欠部によって構成されており、
上記補強部材は、上記両側板の左右方向外側に配置され、各々左右方向内側の該側板に上下方向に回動可能に取り付けられた一対の側板部と、該両側板部を繋ぐ連結板部と、を有し、上記開放位置において、上記両側板部が上記側板の中途部よりも上方に位置すると共に上記連結板部が上記水平板の上方に位置する一方、上記開放位置から下方に回動して上記閉鎖位置に移動することにより、上記両側板部が上記両側板の上部及び中途部の左右方向外側に位置すると共に上記連結板部が上記両側板の前方に位置することを特徴とする防振吊り金具。
【請求項５】
請求項４に記載の防振吊り金具において、
上記側板部には、リブが形成されていることを特徴とする防振吊り金具。
【請求項６】
請求項４又は５に記載の防振吊り金具において、
上記連結板部には、上記補強部材が上記開放位置にある状態で上記吊りボルトが挿通可能な切欠きが形成されていることを特徴とする防振吊り金具。
【発明の詳細な説明】
【技術分野】
【０００１】
本発明は、例えば野縁や天井仕上材等を支持するための野縁受けを天井スラブに対して支持する防振吊り金具に関する。
【背景技術】
【０００２】
野縁受け等の被支持体を天井スラブ等の支持体に対して支持する吊りハンガーが従来技術として知られている（例えば特許文献１参照）。
【０００３】
このような吊りハンガーの一例を図１２（ａ）に示す。この吊りハンガー１００は、支持体及び被支持体に各々連結される吊りボルト３００を挿通するための貫通孔がそれぞれ形成された上下一対の水平板２１０と、上下方向に延びて当該両水平板２１０，２１０を繋ぐ一対の側板２２０，２２０とが金属板の曲げ加工により一体に形成された上下に細長い矩形枠状のハウジング２００を備え、上側の水平板２１０には吊りボルト３００がナット４００，４００によって取り付けられる一方、下側の水平板２１０には吊りボルト３００が弾性ゴム５００を介してナット４００，４００によって取り付けられている。
【先行技術文献】
【特許文献】
【０００４】
【特許文献１】特開２０１３−１６３９００号公報
【発明の概要】
【発明が解決しようとする課題】
【０００５】
ところで、吊りハンガーを天井構造に用いる場合、複数の吊りハンガーによって野縁受けを支持し、この野縁受けに取り付けられた野縁によって天井仕上材が支持されている。このような天井構造を大空間の天井に適用した場合、各吊りハンガーに作用する荷重が比較的大きくなる。このような大空間の天井構造で地震が発生した場合、野縁や天井仕上材等が水平方向に変位して壁に衝突し、その衝撃が吊りハンガーに作用して吊りハンガーが変形し、野縁や天井仕上材等が落下する虞がある。このような野縁や天井仕上材等の落下を防ぐために、吊りハンガーの水平方向の変形を抑制する必要がある。
【０００６】
しかしながら、図１２（ａ）に示す吊りハンガー１００を大空間の天井構造に用いた場合、地震によって天井板が水平方向に移動しようとして吊りハンガー１００に水平力が作用すると、上記のようにハウジング２００が上下に細長い矩形枠状をなしているため、図１２（ｂ）に示すように、水平方向に変形して、野縁や天井仕上材等が落下する虞がある。
【０００７】
本発明は、かかる点に鑑みてなされたものであり、その目的とするところは、吊りボルトに取り付けられて被支持体を支持する防振吊り金具の水平方向の変形を防止することにある。
【課題を解決するための手段】
【０００８】
上記の目的を達成するために、本発明は、吊りハンガーのハウジングを補強部材で囲んでボックス状とすると共に、補強部材を可動式とすることで防振吊り金具の取付性を向上させたものである。
【０００９】
具体的には、本発明は、支持体から延びる吊りボルトに取り付けられ、被支持体を支持する防振吊り金具を対象とし、次のような解決手段を講じた。
【００１０】
すなわち、第１の発明は、上記吊りボルトに取り付けられ、被支持体を支持する吊りハンガーと、該吊りハンガーに取り付けられ、該吊りハンガーを補強する補強部材と、を備え、上記吊りハンガーは、上部に上記吊りボルトを挿通するための貫通孔が形成されている一方、下部に上記被支持体を支持する支持部を有するハウジングを有し、該ハウジングには、上記吊りボルトが防振部材を介してナットによって取り付けられると共に、中途部に該ナットを固定するための工具を該ハウジングの側方から挿入するための開放部が形成され、上記補強部材は、上記開放部を開放する開放位置と、上記ハウジングの上部及び中途部を側方から囲んで該ハウジングを補強すると共に上記開放部を閉鎖する閉鎖位置と、の間で移動可能なように構成されていることを特徴とする。
【００１１】
第１の発明によれば、補強部材が閉鎖位置にある状態で、防振部材が配設されたハウジング上部及び開放部が形成されたハウジング中途部の側方を補強部材が囲んでボックス状となり、ハウジングを補強している。そのため、ハウジングに水平力が作用しても、ハウジングの水平方向の変形を抑制することができる。
【００１２】
ところで、上記のようにハウジングの上部及び中途部をボックス状とすると、防振吊り金具の吊りボルトへの取付時に、ナット固定用の工具を挿入することができなくなる。
【００１３】
そこで、第１の発明によれば、補強部材を、上記開放部を開放する開放位置と、ハウジング上部及び中途部を側方から囲んで開放部を閉鎖する閉鎖位置と、の間で移動可能なように構成した。これにより、防振吊り金具の吊りボルトへの取付時には、先ず、補強部材を開放位置に移動させて開放部を開放させた状態で、貫通孔に吊りボルトを挿通させ、防振部材及びナットをこの吊りボルトに取り付け、そして、工具を開放部から挿入させてナットを固定する。次に、被支持体を支持部に支持させる。そして、補強部材を開放位置から閉鎖位置に移動させて、ハウジングの上部及び中途部をボックス状とする。このように、補強部材を開放位置と閉鎖位置との間で移動可能なように構成することにより、防振吊り金具を吊りボルトに取り付ける作業が容易となる。
【００１４】
第２の発明は、第１の発明において、上記支持部が上記被支持体を支持し且つ上記補強部材が上記閉鎖位置にある状態で、該補強部材及びハウジングが上記被支持体に固定されていることを特徴とする。
【００１５】
第２の発明によれば、補強部材及びハウジングが被支持体に固定されることにより、防振吊り金具が被支持体に剛結合される。そのため、被支持体の防振吊り金具に対する水平方向の相対変位を抑制することが可能となり、吊りハンガーのハウジングが水平方向に変形するのをより確実に抑制することができる。
【００１６】
第３の発明は、第１又は第２の発明において、上記補強部材は、上記閉鎖位置において、上記ハウジングに固定されていることを特徴とする。
【００１７】
第３の発明によれば、補強部材及びハウジングが一体となるため、補強部材によってハウジングを強固に補強することができる。
【００１８】
第４の発明は、第１乃至第３のいずれか１つの発明において、上記ハウジングは、上記貫通孔が形成された水平板と、該水平板から下方に延びて下端部に上記支持部が形成された左右一対の側板と、を有し、上記防振部材は、該両側板間の上部に配設され、上記開放部は、該各側板に形成された前方に開口する切欠部によって構成されており、上記補強部材は、上記両側板の左右方向外側に配置され、各々左右方向内側の該側板に上下方向に回動可能に取り付けられた一対の側板部と、該両側板部を繋ぐ連結板部と、を有し、上記開放位置において、上記両側板部が上記側板の中途部よりも上方に位置すると共に上記連結板部が上記水平板部の上方に位置する一方、上記開放位置から下方に回動して上記閉鎖位置に移動することにより、上記両側板部が上記両側板の上部及び中途部の左右方向外側に位置すると共に上記連結板部が上記両側板の前方に位置することを特徴とする。
【００１９】
第４の発明によれば、吊りボルトに防振吊り金具を取り付けると共に防振吊り金具に被支持体を支持する際には、先ず、吊りボルトをハウジングの貫通孔に挿通させると共に防振部材を貫通させ、次いで、補強部材を跳ね上げて開放位置に移動させる。これにより、切欠部からなる開放部が開放されるため、ハウジングの側方から工具を挿入することができる。この状態で、吊りボルトに及びナットを取り付けて、ナットを工具で固定する。次に、被支持体をハウジング下部の支持部に支持させる。最後に、補強部材を降ろして閉鎖位置に移動させ、防振吊り金具の上部及び中途部をボックス状とする。このように、補強部材を上下方向に回動させるという簡単な作業で、開放部を確保して防振吊り金具の取付性を高めると共に防振吊り金具をボックス状にしてハウジングの水平方向の変形を抑制することができる。
【００２０】
第５の発明は、第４の発明において、上記側板部には、リブが形成されていることを特徴とする。
【００２１】
第５の発明によれば、補強部材の側板部にリブが形成されて剛性が高められているため、該側板部によるハウジングの水平方向の変形をより確実に防止することが可能となる。
【００２２】
第６の発明は、第４又は第５の発明において、上記連結板部には、上記補強部材が上記開放位置にある状態で上記吊りボルトが挿通可能な切欠きが形成されていることを特徴とする。
【００２３】
第６の発明によれば、補強部材を上方に回動する際に、吊りボルトが連結板部に形成された切欠きに入るため、吊りボルトが補強部材と干渉せず、補強部材をより上方に回動させることができる。したがって、開放部をより広く確保することができるため、ナットの固定作業がより簡単になる。
【発明の効果】
【００２４】
以上、本発明によれば、吊りボルトに取り付けられて被支持体を支持する防振吊り金具の水平方向の変形を防止すると共に、防振吊り金具を吊りボルトに取り付ける作業を容易にすることができる。
【図面の簡単な説明】
【００２５】
【図１】本発明の実施形態に係る防振吊り金具が用いられた天井構造の一部を示す図である。
【図２】図１の防振吊り金具の周辺を示す拡大図である。
【図３】吊りボルトに取り付けられ且つ野縁受けを支持した状態における防振吊り金具の背面図である。
【図４】吊りボルトに取り付けられ且つ野縁受けを支持した状態における防振吊り金具の平面図である。
【図５】吊りボルトに取り付けられ且つ野縁受けを支持した状態における防振吊り金具の側面図である。
【図６】防振吊り金具のハウジングを示す図であって、（ａ）は正面図であり、（ｂ）は背面図であり、（ｃ）は平面図であり、（ｄ）は底面図であり、（ｅ）は側面図である。
【図７】防振吊り金具の吊形防振ゴムを示す図であって、（ａ）は平面図であり、（ｂ）は側面図である。
【図８】防振吊り金具の補強金具を示す図であって、（ａ）は正面図であり、（ｂ）は背面図であり、（ｃ）は平面図であり、（ｄ）は側面図である。
【図９】補強金具を開放位置に移動させて吊りボルトが取り付けられ且つ防振吊り金具に野縁受けを取り付けた状態における防振吊り金具の側面図である。
【図１０】補強金具を閉鎖位置に移動させた状態における防振吊り金具の側面図である。
【図１１】ハウジング及び補強金具を野縁受けにビス止めした状態における防振吊り金具の側面図である。
【図１２】従来の吊りハンガーを示す正面図であって、（ａ）は静止状態を示す図であり、（ｂ）は水平力が作用した状態を示す図である。
【発明を実施するための形態】
【００２６】
以下、本発明の実施形態を図面に基づいて説明する。尚、以下の好ましい実施形態の説明は本質的に例示に過ぎず、本発明、その適用物或いはその用途を制限することを意図するものではない。
【００２７】
図１は、本実施形態に係る防振吊り金具１が用いられた天井構造の一部を示す図である。この天井構造は、例えば体育館等の比較的大空間の天井に適用されるものであり、図示しない天井スラブ（支持体）から吊りボルト３が吊り下げられ、この吊りボルト３によって天井下地材５が吊り下げ支持されており、この天井下地材５に天井面を構成する天井仕上材７が取り付けられている。さらに、上記天井スラブと天井下地材５との間には、ブレース材９が斜めに掛け渡されている。上述の如く上記天井構造は比較的大空間の天井に適用されるものであるため、上記天井下地材５及び天井仕上材７が比較的大きな重量となっている。
【００２８】
上記吊りボルト３は、上下方向に延び、かつ外周面に雄ネジが形成された棒状の金属製部材である。該吊りボルト３は、水平方向に互いに間隔をあけて配置されており、その上端部が上記天井スラブに埋設された図示しない接合金具に固定されている一方、下端部に上記天井下地材５が固定されている。これにより、上記天井下地材５が上記吊りボルト３によって上記天井スラブに対して吊り下げ支持されている。
【００２９】
上記天井下地材５は、上記天井スラブから下方に離間した位置に配置され、上記天井仕上材７を保持するための金属製の部材である。該天井下地材５は、図１に示すように、野縁受け１１（被支持体）と、該野縁受け１１の下方において該野縁受け１１と交差（直交）して配置された野縁１３と、によって構成されている。本実施形態では、複数の上記野縁受け１１，１１，…と複数の上記野縁１３，１３，…とが交差箇所で公知の接合金具１５を介して連結されることにより、格子状に枠組みされた天井構造枠が構成されている。
【００３０】
上記複数の野縁受け１１，１１，…は、それぞれ上記防振吊り金具１を介して上記吊りボルト３の下端部に固定され、互いに間隔をあけて平行に配置されている。該各野縁受け１１は、上記吊りボルト３に吊り下げ支持される長尺の部材であり、断面コ字状のＣ形チャンネルで構成されている。
【００３１】
上記複数の野縁１３，１３，…は、互いに間隔をあけて平行に配置されている。該各野縁１３は、上記天井仕上材７が取り付けられる長尺の部材であり、断面コ字状のＣ形チャンネルで構成されている。
【００３２】
上記天井仕上材７は、平面視矩形の板状をなす部材である。該天井仕上材７は、上記野縁１３の下面に図示しない取付金具を介して固定されている。なお、上記天井仕上材７の上記野縁１３に対する固定方法として、ビス等を用いても良い。
【００３３】
上記ブレース材９は、断面コ字状のＣ形チャンネルで構成され、上記野縁受け１１に交差（直交）する方向に配置されている。隣接する一対の上記ブレース材９，９は、水平面に対して傾斜しており、上記天井スラブと上記天井仕上材７との間にＶ字状に架け渡されている。換言すると、該一対のブレース材９，９は、上記天井仕上材７から上記天井スラブに向かって互いに離間するように配置されている。上記ブレース材９の上端部は、図示しない接合金具を介して上記天井スラブ、或いは図１等に図示する吊りボルト３に隣接する図示しない吊りボルト３に固定され、下端部は、該天井スラブと上記天井下地材５との間に水平に配置されたＣ形チャンネルで構成された補強材１６に固定されている。なお、上記ブレース材９と水平面とのなす角度は、適宜設定される。このように、上記ブレース材９，９がＶ字状に架け渡されることにより、上記野縁受け１１と野縁１３とから構成される天井構造枠、上記吊りボルト３、及び、上記天井仕上材７の水平方向の揺れを抑制することができる。さらに、これら部材の水平方向の揺れは、上記防振吊り金具１によって、より確実に抑制される。
【００３４】
次に、この防振吊り金具１の具体的な構成について図１乃至図５を参照して説明する。以下では、図１における左側及び右側をそれぞれ「左側」及び「右側」とし、さらに、図１における紙面手前側及び奥側をそれぞれ「前側」及び「後側」とする。図２は、図１の防振吊り金具の周辺を示す拡大図であり、図３乃至図５は、それぞれ、上記吊りボルト３に取り付けられ且つ上記野縁受け１１を支持した状態における上記防振吊り金具１の背面図、平面図及び側面図である。
【００３５】
上記防振吊り金具１は、上記吊りボルト３の下端部に取り付けられて上記野縁受け１１を支持する吊りハンガー１７と、この吊りハンガー１７に取り付けられて該吊りハンガー１７を補強する補強金具１９（補強部材）と、を備えている。上記の如く、上記天井下地材５及び天井仕上材７は、比較的大きな重量であるため、上記各吊りハンガー１７には比較的大きな吊り下げ荷重がかかる。
【００３６】
上記吊りハンガー１７は、上記吊りボルト３が挿通する貫通孔２１ａが形成された金属製のハウジング２１と、このハウジング２１の上部内側に配設されて上記吊りボルト３が上下方向に貫通する略円筒状の吊形防振ゴム２３と、上記ハウジング２１上に配置されて上記吊りボルト３が上下方向に貫通する矩形板状の板状防振ゴム２５と、を有している。
【００３７】
図６は、上記ハウジング２１を示す図であって、（ａ）は正面図、（ｂ）は背面図、（ｃ）は平面図、（ｄ）は底面図、（ｅ）は側面図である。該ハウジング２１は、中央に上記貫通孔２１ａが形成された前後方向に細長い矩形状の水平板２７と、この水平板２７の左右両端から下方に延びる互いに同一形状の一対の側板２９，２９と、を有している。なお、上記板状防振ゴム２５は、図１に示すように、上記水平板２７上に配置され、この水平板２７と上記補強材１６に固定された断面Ｌ字状の取付金具２８の水平板部とによって挟み込まれ、さらにこの水平板部上にワッシャ３０を挟むように吊りボルト３に螺合するナット３１が設けられている。
【００３８】
上記各側板２９は、上下方向の中途部に前方に開口する略矩形状の切欠部３３（切欠部）が形成された略コ字状をなしている。該各側板２９の後端には、左右方向外側に張り出す上下方向に細長い矩形板状のフランジ３５が形成されている。このフランジ３５によって各側板２９の剛性が高くなり、左右方向の変形が抑制される。
【００３９】
上記各側板２９の上部（以下、側板上部３７という）は、上記水平板２７と同一の前後幅を有する矩形状をなし、前後方向中央部には、下方に開口する矩形状の切欠部３７ａが形成されている。この切欠部３７ａには、上記吊形防振ゴム２３の後述する板状金具６１の突出部６１ｂが差し込まれる。また、上記側板上部３７の上端部後端には、図６（ｅ）に示すように、上記補強金具１９を枢支する左右に延びる軸３９が挿通する軸孔４１が形成されている。
【００４０】
さらに、上記側板上部３７の下端後端部から細板部４３が下方に延びている。該細板部４３は、前後幅が上記側板上部３７よりも細く（例えば前後幅が側板上部３７の約１／３）、上下方向に細長い矩形板状をなしている。上記細板部４３は、上記切欠部３３に対応するように上記側板２９の中途部に設けられている。このように、上記両側板２９，２９の中途部に切欠部３３を形成して開放部４５を構成することにより、上記吊形防振ゴム２３の下側で上記吊りボルト３に螺合するナット４７を固定するのに用いる工具を、上記ハウジング２１の側方から挿入することが可能となる。
【００４１】
上記細板部４３の下端には、該細板部４３よりも前後幅が大きく且つ上記側板上部３７よりも前後幅の小さな（例えば前後幅が側板上部３７の約１／２強の）矩形板状の側板下部４９（支持部）が設けられている。該側板株４９の前後方向中央には、上方に開口する上下方向に直線状に延びるスリット５１が形成されており、このスリット５１にＣ形チャンネルで構成される上記野縁受け１１の上側のフランジ１１ｂが差し込まれる。これにより、該野縁受け１１が上記ハウジング２１に支持される。また、上記側板下部４９の前端下半部分には、図６（ａ），（ｂ）に示すように、左右方向外側に張り出す正方形板状のフランジ５３が形成されている。このフランジ５３の中央部には、該フランジ５３を上記野縁受け１１のウェブ１１ａに固定するためのビス５５が挿通するビス孔５３ａが形成されている。このように、上記フランジ５３が上記側板下部４９から左右方向外側に張り出しているので、該フランジ５３をビス止めする際に用いる工具が上記側板２９と干渉するのを回避することができる。
【００４２】
図７は、上記吊形防振ゴム２３を示す図であって、（ａ）は平面図、（ｂ）は側面図である。該吊形防振ゴム２３は、上記ハウジング２１の貫通孔２１ａよりも小径の挿通孔２３ａが上下方向に貫通形成されており、上記ハウジング２１の内側に配設される円筒状のゴム本体５７と、該ゴム本体５７の上面中央部から上方に突出して上記ハウジング２１の水平板２７に係止するゴム座５９と、上記ゴム本体５７の下面に一体に形成された板状金具６１と、を有している。上記吊りボルト３は、上記吊形防振ゴム２３を貫通して、その下端に螺合する上記ナット４７と上記ハウジング２１の水平板２７とによって上記ゴム本体５７が挟み込まれて上記ハウジング２１に取り付けられている。
【００４３】
上記ゴム本体５７は、外径が上記ハウジング２１の水平板２７の左右幅よりも小径且つ上記水平板２７の上記貫通孔２１ａよりも大径であり、内径が該貫通孔２１ａも小径である。また、該ゴム本体５７の高さは、上記ハウジング２１の側板上部３７の上下幅よりも小さく設定されている。したがって、上記ゴム本体５７の下面に設けられた上記板状金具６１は、上記側板上部３７に形成された上記切欠部３７ａと略同じ高さに位置している。
【００４４】
上記ゴム座５９は、略円筒状をなしていて、外径が上記貫通孔２１ａと略同一径であり、内径が該貫通孔２１ａよりも小径である。該ゴム座５９の上部は、上記ハウジング２１の平行板２７に取り付けられた状態で該平行板２７よりも上方に位置している。このゴム座５９の上部には、上記貫通孔２１ａよりも大径の円環状の鍔部５９ａが形成され、この鍔部５９ａが上記貫通孔２１ａの外周りに係止することにより、上記吊形防振ゴム２３が上記貫通孔２１ａから抜けるのを防止している。
【００４５】
上記板状金具６１は、前後方向にやや細長い矩形板状の水平に延びる板状金具本体６１ａと、該板状金具本体６１ａの左右両端面の中央から左右方向外側に突出する一対の突出部６１ｂ，６１ｂと、を有している。上記板状金具本体６１ａは、その前後幅が上記ハウジング２１の水平板２７よりも小さく、かつその左右幅が該水平板２７よりも小さい。したがって、板状金具本体６１ａは、図４に示すように、上記ハウジング２１の両側板２９，２９との間に隙間が形成されるため、上記ハウジング２１の内側を前後左右に移動可能である。また、上記各突出部６１ｂは、図４に示すように、上記ハウジング２１の両側板２９よりも左右方向外側に突出しており、その前後幅は、上記ハウジング２１の側板上部３７に形成された切欠部３７ａの前後幅よりも小さい。したがって、上記各突出部６１ｂは、上記切欠部３７ａの前後の周縁との間に隙間を設けて差し込まれている。
【００４６】
また、上記突出部６１ｂの厚さは、上記側板上部３７の切欠部３７ａの上下幅よりも小さい。そのため、該突出部６１ｂと上記切欠部３７ａの上側周縁との間にも隙間が形成されている。そして、これら板状金具６１と切欠部３７ａとによって、上記吊りボルト３（この吊りボルト３に取り付けられている上記吊形防振ゴム２３）の上記ハウジング２１に対する相対移動を規制する移動規制手段が構成されている。この移動規制手段による相対移動の規制については後述する。
【００４７】
図８は、上記補強金具１９を示す図であって、（ａ）は正面図、（ｂ）は背面図、（ｃ）は平面図、（ｄ）は側面図である。該補強金具１９は、断面コ字状をなす板部材からなり、上記ハウジング２１の両側板２９，２９に形成された上記軸孔４１，４１を挿通する軸３９を中心に上下方向に回動可能に構成されている。なお、以下では、図３に示すように上記補強金具１９が下方に回動した状態に基づいて説明する。
【００４８】
上記補強金具１９は、上記ハウジング２１の側板２９，２９の左右方向外側に配置された互いに同一形状の一対の側板部６３，６３と、該両側板部６３，６３の前端同士を繋ぐ連結板部６５と、を有している。
【００４９】
上記各側板部６３は、上記ハウジング２１のフランジ３５，３５よりも前方に位置している。該各側板部６３は、ほぼ正方形状をなし、一辺が上記ハウジング２１の水平板２７の前後幅よりも僅かに大きく、かつ上記ハウジング２１の側板２９の上部及び中途部をカバーすることができる。
【００５０】
上記各側板部６３の上後端の隅部には、図８（ｄ）に示すように、上記軸３９が挿通係止する軸孔６３ａが形成されている一方、上前端及び下後端の各隅部には、該各側板部６３を上記ハウジング２１の側板２９に固定するためのビス５５，５５が挿通するビス挿通孔６３ｂ，６３ｂが形成されている。なお、該各側板部６３の後端上下角部は、Ｒ状をなしている。したがって、上記両側板部６３，６３は、上記ハウジング２１の側板２９，２９後端のフランジ３５，３５と干渉することなく、上下方向に回動可能となっている。
【００５１】
また、上記各側板部６３の中央部から後端に亘ってリブ６３ｃが形成されている。該リブ６３ｃは、上記各側板部６３の一部を左右方向外側に膨出させることにより形成されている。このリブ６３ｃにより、上記各側板部６３の剛性が高まると共に、上記吊形防振ゴム２３の板状金具６１の突出部６１ｂと上記各側板部６３との干渉が回避される。
【００５２】
さらに、上記各側板部６３の下端中央には、図８（ｄ）に示すように、左右方向外側に突出する断面Ｌ字状の突出片６７が形成されている。該突出片６７は、上記側板部６３から突出する矩形板状の横板部６７ａと、該横板部６７ａの前端から下方に延びる矩形板状の縦板部６７ｂとを有し、これら横板部６７ａの中央部及び縦板部６７ｂの中央左右方向外寄りには、ビス挿通孔６７ｃ，６７ｃが形成されている。これらビス挿通孔６７ｃ，６７ｃを挿通するビス５５，５５によって上記補強金具１９が上記ハウジング２１の側板下部４９に支持された上記野縁受け１１のウェブ１１ａ及びフランジ１１ｂに固定される。上記のように、上記突出片６７が上記各側板部６３から左右方向外側に突出しているので、ビス止めする際に工具が該各側板部６３と干渉するのを回避することができる。
【００５３】
上記連結板部６５は、上記ハウジング２１の前方に位置し、該ハウジング２１の上部及び中途部を前方から覆っている。したがって、上記ハウジング２１の開放部４５は、この連結板部６５及び上記側板部６３によって閉鎖される。上記連結板部６５には、その中央から上端中央に亘って、上記吊りボルト３よりも幅広の切欠き６５ａが形成されている。
【００５４】
このような構成を備えた補強金具１９は、側板部６３，６３が軸３９周りに回動することにより、上下方向に回動可能となっている。そして、補強金具１９が下方に回動することにより、両側板部６３，６３及び連結板部６５がハウジング２１の上部及び中途部を側方から囲む。具体的には、両側板部６３，６３がハウジング２１の両側板２９，２９の各側板上部３７及び細板部４３の左右方向外側に位置すると共に、連結板部６５が両側板２９，２９の前方に位置することにより、補強金具１９がハウジング２１の中途部に形成された開放部４５を閉鎖する。
【００５５】
一方、この閉鎖位置から補強金具１９が上方に回動することにより、ハウジング２１の開放部４５を開放する。この開放位置において、補強金具１９の両側板部６３がハウジング２１の両側板２９，２９の中途部よりも上方に位置すると共に、連結板部６５が水平板２７の上方に位置している。そして、この開放位置において、連結板部６５に形成された切欠き６５ａに吊りボルト３が挿通することにより、連結板部６５と吊りボルト３とが干渉せず、補強金具１９を閉鎖位置から９０度回動させることが可能となり、開放部４５を広く確保することが可能となる。
【００５６】
次に、以上の構成を備えた防振吊り金具１を吊りボルト３に取り付けると共に、野縁受け１１を該防振吊り金具１に支持する工程について図９乃至図１１を参照して説明する。
【００５７】
先ず、上側のナット３１が螺合し且つワッシャ３０及び補強材１６に固定された取付金具２８を挿通する吊りボルト３の下端部を、板状防振ゴム２５及びハウジング２１の水平板２７に取り付けられた吊形防振ゴム２３に挿通させる。なお、図９乃至図１１では、取付金具２８を省略している。
【００５８】
次に、図９に示すように、補強金具１９を開放位置に跳ね上げ、開放部４５を開放させた状態で、吊形防振ゴム２３の下方に突き出た吊りボルト３の下端にナット４７を螺合させる。続いて、ハウジング２１の開放部４５から工具を挿入してナット４７を締めて、ナット４７とハウジング２１の水平板２７とによって吊形防振ゴム２３のゴム本体５７を挟み込む。次に、野縁受け１１の上側のフランジ１１ｂをハウジング２１の側板下部４９，４９に形成されたスリット５１，５１に嵌め込み、該側板下部４９，４９によって野縁受け１１を支持させる。
【００５９】
次いで、図１０に示すように、補強金具１９を下ろし、閉鎖位置に移動させる。このとき、補強金具１９の突出片６７，６７の縦板部６７ｂ，６７ｂが野縁受け１１のウェブ１１ａに当接する。そして、ビス５５，５５，…を、補強金具１９の側板部６３，６３に形成されたビス挿通孔６３ｂ，６３ｂ，…に挿通し、両側板部６３，６３をハウジング２１の両側板２９，２９にビス止めする。これにより、補強金具１９がハウジング２１に固定される。
【００６０】
そして、図１１に示すように、突出片６７，６７の横板部６７ａ，６７ａ及び縦板部６７ｂ，６７ｂに形成されたビス挿通孔６７ｃ，６７ｃ，…、及び、ハウジング２１のフランジ５３，５３に形成されたビス挿通孔５３ａ，５３ａに、それぞれビス５５，５５，…を挿通し、突出片６７及び側板下部４９，４９を野縁受け１１にビス止めする。これにより、ハウジング２１及び補強金具１９が野縁受け１１に固定される。
【００６１】
以上の工程により、防振吊り金具１が吊りボルト３に固定されると共に、防振吊り金具１に野縁受け１１が支持される。そして、複数の防振吊り金具１，１，…に複数の野縁受け１１，１１，…が支持され、さらに、これら野縁受け１１，１１，…に複数の野縁１３，１３，…が取り付けられて、最後に野縁１３，１３，…に天井仕上材７が固定される。
【００６２】
このように設けられた天井構造において、地震時等に防振吊り金具１に上下方向の荷重が入力されると、吊形防振ゴム２３の板状金具６１の突出部６１ｂ，６１ｂと、ハウジング２１の側板上部３７，３７の切欠部３７ａ，３７ａの上側周縁とが当接することにより、上下方向について、吊りボルト３のハウジング２１に対する相対移動が規制される。
【００６３】
また、防振吊り金具１に前後方向の荷重が入力されると、板状金具６１の突出部６１ｂ，６１ｂと、ハウジング２１の側板上部３７，３７の切欠部３７ａ，３７ａの前後周縁とが当接することにより、前後方向について、吊りボルト３のハウジング２１に対する相対移動が規制される。
【００６４】
さらに、防振吊り金具１に左右方向の荷重が入力されると、板状金具６１における突出部６１ｂ，６１ｂを除く左右一対の外周辺部とハウジング２１の側板上部３７，３７とが当接することにより、左右方向について、吊りボルト３のハウジング２１に対する相対移動が規制される。
【００６５】
ところで、本実施形態の天井構造は、上記の如く例えば体育館等の大空間に適用されるものであるため、天井下地材５及び天井仕上材７は比較的大きなものとなる。したがって、地震等が発生し、天井下地材５及び天井仕上材７が水平方向に変位しようとすると、その慣性力が大きいため、各防振吊り金具１にも比較的大きな水平力が作用する。その際、補強金具１９がハウジング２１の吊形防振ゴム２３及び開放部４５を側方から囲んで、ハウジング２１と共にボックス状となっているため、防振吊り金具１の剛性が著しく高くなる。より具体的には、補強金具１９の両側板部６３，６３がその内側にあるハウジング２１の両側板２９，２９の変形を抑制する。このため、野縁受け１１が水平方向に変位するのを抑制することができる。
【００６６】
さらに、ハウジング２１と補強金具１９とは、野縁受け１１にビス止めされており、これらハウジング２１、補強金具１９及び野縁受け１１が剛結合されている。そのため、野縁受け１１の防振吊り金具１に対する水平方向の相対変位を抑制することができる。
【００６７】
さらには、補強金具１９がハウジング２１にビス止めされ、これら補強金具１９及びハウジング２１が一体となっている。そのため、補強金具１９によってハウジング２１をより強固に補強することができる。したがって、ハウジング２１の水平方向の変形をより確実に抑制することができる。
【００６８】
したがって、天井下地材５及び天井仕上材７の水平方向の変位を効果的に抑制することが可能となる。
【００６９】
−発明の実施形態の効果−
上記実施形態によれば、補強金具１９が閉鎖位置にある状態で、吊形防振ゴム２３が配設されたハウジング２１上部及び開放部４５が形成されたハウジング２１中途部の側方を補強金具１９が囲んでボックス状となり、ハウジング２１を補強している。そのため、ハウジング２１に水平力が作用しても、ハウジング２１の水平方向の変形を抑制することができる。
【００７０】
ところで、上記のようにハウジング２１の上部及び中途部をボックス状とすると、防振吊り金具１の吊りボルト３への取付時に、ナット４７固定用の工具を挿入することができなくなる。
【００７１】
そこで、上記実施形態によれば、補強金具１９をハウジング２１上部及び中途部を側方から囲んで開放部４５を閉鎖する閉鎖位置と開放部４５を開放する開放位置との間で移動可能なように構成した。これにより、防振吊り金具１の吊りボルト３への取付時には、先ず、補強金具１９を開放位置に移動させて開放部４５を開放させた状態で、貫通孔２１ａに吊りボルト３を挿通させ、吊形防振ゴム２３及び下側のナット４７をこの吊りボルト３に取り付け、そして、工具を開放部４５から挿入させてナット４７を締める。次に、野縁受け１１をハウジング２１の側板下部４９，４９に支持させる。そして、補強金具１９を開放位置から閉鎖位置に移動させて、ハウジング２１の上部及び中途部をボックス状とする。このように、補強金具１９を開放位置と閉鎖位置との間で移動可能なように構成することにより、防振吊り金具１を吊りボルト３に取り付ける作業が容易となる。
【００７２】
また、上記実施形態によれば、補強金具１９及びハウジング２１が野縁受け１１に固定されることにより、防振吊り金具１が野縁受け１１に剛結合される。そのため、野縁受け１１の防振吊り金具１に対する水平方向の相対変位を抑制することが可能となり、吊りハンガー１７のハウジング２１が水平方向に変形するのをより確実に抑制することができる。
【００７３】
さらに、上記実施形態によれば、補強金具１９がハウジング２１にビス止めされて両者が一体となるため、補強金具１９によってハウジング２１を強固に補強することができる。
【００７４】
また、上記実施形態によれば、吊りボルト３に防振吊り金具１を取り付けると共に防振吊り金具１に野縁受け１１を支持する際には、先ず、吊りボルト３をハウジング２１の貫通孔２１ａに挿通させ、次いで、補強金具１９を跳ね上げて開放位置に移動させる。これにより、切欠部３３，３３からなる開放部４５が開放されるため、ハウジング２１の側方から工具を挿入することができる。この状態で、吊りボルト３に吊形防振ゴム２３及びナット４７を吊りボルト３に取り付けて、ナット４７を工具で締める。次に、野縁受け１１をハウジング２１下部の側板下部４９，４９に支持させる。最後に、補強金具１９を降ろして防振吊り金具１の上部及び中途部をボックス状とする。このように、補強金具１９を上下方向に回動させるという簡単な作業で、開放部４５を確保して防振吊り金具１の取付性を高めると共に防振吊り金具１をボックス状としてハウジング２１の水平方向の変形を抑制することができる。
【００７５】
また、上記実施形態によれば、補強金具１９の側板部６３，６３にリブ６３ｃ，６３ｃが形成されて剛性が高められるため、該側板部６３，６３によるハウジング２１の水平方向の変形をより確実に防止することが可能となる。
【００７６】
さらに、上記実施形態によれば、補強金具１９を上方に回動する際に、吊りボルト３が連結板部６５に形成された切欠き６５ａに入るため、吊りボルト３が補強金具１９と干渉せず、補強金具１９をより上方に回動させることができる。したがって、開放部４５をより広く確保することができるため、ナット４７の固定作業がより簡単になる。
【００７７】
（その他の実施形態）
上記実施形態では、防振吊り金具１が野縁受け１１を支持しているが、これに限定されず、例えば室外機や照明器具等を支持してもよい。
【００７８】
また、上記実施形態では、補強金具１９が吊りハンガー１７のハウジング２１に上下方向に回動可能に取り付けられているが、これに限定されず、補強金具１９がハウジング２１の開放部４５を閉鎖又は開放可能な構成であればよい。
【００７９】
また、上記実施形態では、側板上部３７に切欠部３７ａが形成されているが、これに限定されず、貫通孔が形成されていてもよい。
【００８０】
さらに、上記実施形態では、側板下部４９に野縁受け１１を取り付けるためのスリット５１が形成されているが、これに限定されず、例えば該側板下部４９に野縁受け１１がビス止めされていてもよい。
【００８１】
さらに、上記実施形態では、防振部材として吊形防振ゴムを用いているが、これに限定されず、防振部材としてコイルばねや粘弾性体等を用いてもよい。
【産業上の利用可能性】
【００８２】
以上説明したように、本発明に係る防振吊り金具は、水平方向の変形を防止する用途に適用することができる。
【符号の説明】
【００８３】
１      防振吊り金具
３      吊りボルト
１１    野縁受け（被支持体）
１７    吊りハンガー
１９    補強金具（補強部材）
２１    ハウジング
２１ａ  貫通孔
２３    吊形防振ゴム（防振部材）
２７    水平板
２９    側板
３３    切欠部
４５    開放部
４７    ナット
４９    側板下部（支持部）
６３    側板部
６３ｃ  リブ
６５    連結板部
６５ａ  切欠き
【図１】
2015218534.tif 000003
【図２】
2015218534.tif 000004
【図３】
2015218534.tif 000005
【図４】
2015218534.tif 000006
【図５】
2015218534.tif 000007
【図６】
2015218534.tif 000008
【図７】
2015218534.tif 000009
【図８】
2015218534.tif 000010
【図９】
2015218534.tif 000011
【図１０】
2015218534.tif 000012
【図１１】
2015218534.tif 000013
【図１２】
2015218534.tif 000014